(57)【要約】      （修正有）【課題】視覚的な美しさが高まり、同時に充分な趣味性を提供でき、消費者の眼差し及び注意力を引き付けることができる造形物付き容器を提供する。【解決手段】造形物付き容器は、透明外カップ１の頂端に第１開口部を有し、透明外カップの中に内カップ２が設けられ、内カップの頂端に第２開口部を有し、第２開口部の周縁に連結部２２が下向きに延設され、連結部の内壁が透明外カップの外壁と連接され、内カップと透明外カップとの間に収納空間３が設けられ、収納空間に設けられる造形物４の底端が透明外カップの底部と連接される。透明外カップの底部に、さらに透明外カップを載設するための底座５が設けられ、底座の内部に、発光部材６１を含む発光装置が設けられてもよい。【選択図】図５
0003194995.tif 000002
【実用新案登録請求の範囲】
【請求項１】
透明外カップの頂端に第1開口部を有し、
当該透明外カップの中に内カップが設けられ、当該内カップの頂端に第2開口部を有し、当該第2開口部の周縁に連結部が下向きに延設され、当該連結部の内壁が当該透明外カップの外壁と連接され、
当該内カップと当該透明外カップとの間に収納空間が設けられ、
当該収納空間に設けられる造形物の底端が当該透明外カップの底部と連接される、ことを特徴とする造形物付き容器。
【請求項２】
前記透明外カップの底部に、さらに当該透明外カップを載設するための底座が設けられ、当該底座の内部に、さらに発光装置が設けられる、ことを特徴とする請求項1に記載の造形物付き容器。
【請求項３】
前記発光装置は、前記底座の内部に設けられ、且つ前記造形物に対応して設けられる少なくとも一つの発光部材と、
当該底座の内部に設けられ、当該発光部材と電気的に連接され、且つ当該発光部材の発光効果や発光方式を制御する配線基板と、
当該配線基板上に設けられ、当該配線基板と電気的に連接される電池と、
当該底座の底部に設けられ、当該配線基板と電気的に連接され、当該発光部材の発光を制御するための制御スイッチと、を備える、ことを特徴とする請求項2に記載の造形物付き容器。
【請求項４】
前記発光部材は、単色LED、フルカラーLED、小型電球の中の少なくとも一つである、ことを特徴とする請求項3に記載の造形物付き容器。
【請求項５】
前記底座は、透明底座、半透明底座の中の一つから成る、ことを特徴とする請求項2に記載の造形物付き容器。
【請求項６】
前記底部と前記造形物との連接面に、さらに孔が設けられ、当該造形物は、透明造型物、半透明造型物の中の一つである、ことを特徴とする請求項2に記載の造形物付き容器。
【請求項７】
前記底座と前記造型物との間に、さらに透光部が設けられ、当該透光部と当該底座との連接面に、さらに孔が設けられ、当該造形物は、透明造型物、半透明造型物の中の一つである、ことを特徴とする請求項2に記載の造形物付き容器。
【請求項８】
前記内カップが、交換可能式や交換不可能式、任意の1つの方式で前記透明外カップと連接される、ことを特徴とする請求項1に記載の造形物付き容器。
【請求項９】
前記第2開口部に、さらに蓋体が設けられる、ことを特徴とする請求項1に記載の造形物付き容器。
【請求項１０】
前記造形物が、交換可能式や交換不可能式、任意の1つの方式で前記透明外カップと連接される、ことを特徴とする請求項1に記載の造形物付き容器。
【請求項１１】
前記造形物の底面に、さらに柱状突起が設けられ、前記底座が当該柱状突起に対応する位置に、さらに当該造形物が当該透明外カップ底部の表面に固定されるための孔が設けられる、ことを特徴とする請求項1に記載の造形物付き容器。
【考案の詳細な説明】
【技術分野】
【０００１】
本考案は、容器を関し、特に造形物付き容器に関するものである。
【背景技術】
【０００２】
現在、市場で販売された保温コップは、使用者が熱い飲み物や冷たい飲み物を入れた後、短時間内に飲み物の熱さや冷たさが消えたり、飲み物の味が変わることを抑制している。
【０００３】
市場で販売された保温コップについて、例えば台湾発明特許出願公開第456221号「二層保温コップ」に開示したような二層保温コップは内カップ体と、外カップ体と、ワッシャーと、を備え、内カップ体及び外カップ体にも螺紋部が設けられ、螺紋部のデサインで内カップ体と外カップ体とが螺接され、内カップ体と外カップ体とが螺接される際に、同時に内カップ体と外カップ体との間にワッシャーが配置され、内カップ体と外カップ体との間の隙にワッシャーが嵌設されて密封状態になり、隙内の空気と外部との対流が生じないようにして、コップ体の有効な保温、保冷の効果が達成される。
【考案の概要】
【考案が解決しようとする課題】
【０００４】
しかし、上述した二層保温コップは、保温、保冷など単純な機能だけを有し、装飾性及び娯楽性といった効果、効能を兼備していないので、消費者の眼差し及び注意を引き付けることができない。
【０００５】
技術及び時代の進歩により、上述した伝統的な二層保温コップはすでに現在の人々の要求に合わなくなっており、必ずさらに消費者の注目を引く力を有する特別な造形のデサインを与えることにより、飲み物を購入する消費者の注意が引き付けられるはずであり、造形が単純すぎて注目されないコップは時代に淘汰されると思われる。
【０００６】
そこで、上記の問題点に対して、視覚的な美しさが高まり、同時に充分な趣味性を提供でき、若い消費者の眼差し及び注意力を引き付けることができる造形物付き容器を開発することが本考案の課題となる。
【０００７】
本考案は、視覚的な美しさが高まり、同時に充分な趣味性を提供でき、若い消費者の眼差し及び注意力を引き付けることができる造形物付き容器を提供することを目的とする。
【課題を解決するための手段】
【０００８】
前記問題点を解決でき、上記目的を達成するために、本考案の造形物付き容器は、透明外カップの頂端に第1開口部を有し、当該透明外カップの中に内カップが設けられ、当該内カップの頂端に第2開口部を有し、当該第2開口部の周縁に連結部が下向きに延設され、当該連結部の内壁が当該透明外カップの外壁と連接され、当該内カップと当該透明外カップとの間に収納空間が設けられ、当該収納空間に設けられる造形物の底端が当該透明外カップの底部と連接される。
【０００９】
前記透明外カップの底部に、さらに当該透明外カップを載設するための底座が設けられ、当該底座の内部に、さらに発光装置が設けられることが好ましい。
【００１０】
前記発光装置は、前記底座の内部に設けられ、且つ前記造形物に対応して設けられる少なくとも一つの発光部材と、当該底座の内部に設けられ、当該発光部材と電気的に連接され、且つ当該発光部材の発光効果や発光方式を制御できる配線基板と、当該配線基板上に設けられ、当該配線基板と電気的に連接される電池と、当該底座の底部に設けられ、当該配線基板と電気的に連接され、当該発光部材の発光を制御できるための制御スイッチと、を備えることが好ましい。
【００１１】
前記発光部材は、下に列挙したこと：単色LED、フルカラーLED、小型電球の中の一つであることが好ましい。
【００１２】
前記底座は、下に列挙したこと：透明底座、半透明底座の中の一つであることが好ましい。
【００１３】
前記底部と前記造形物との連接面に、さらに孔が設けられ、当該造形物は、下に列挙したこと：透明造型物、半透明造型物の中の一つであることが好ましい。
【００１４】
前記底座と前記造型物との間に、さらに透光部が設けられ、当該透光部と当該底座との連接面に、さらに孔が設けられ、当該造形物は、下に列挙したこと：透明造型物、半透明造型物の中の一つであることが好ましい。
【００１５】
前記内カップが、交換可能式や交換不可能式、任意の1つの方式で前記透明外カップと連接されることが好ましい。
【００１６】
前記第2開口部に、さらに蓋体が設けられることが好ましい。
【００１７】
前記造形物が、交換可能式や交換不可能式、任意の1つの方式で前記透明外カップと連接されることが好ましい。
【００１８】
前記造形物の底面に、さらに柱状突起が設けられ、前記底座が当該柱状突起に対応する位置に、さらに当該造形物が当該透明外カップ底部の表面に固定されるための孔が設けられることが好ましい。
【考案の効果】
【００１９】
本考案は、従来の技術と比べて、次に列挙する効果がある。
【００２０】
(1)主には透明外カップと内カップとの間にある収容空間に造形物が設けられることにより、充分な趣味性を提供し、消費者の購買意欲を高める。
【００２１】
(2)主に透明外カップの底部に、底座が設けられ、且つ底座の内部に、発光装置が設けられることにより、造形物が照らし出され、造型物が多様な点滅と変化の照明及び明かりの装飾効果を有するようにさせ、消費者の眼差し及び注意力を引き付ける。
【００２２】
(3)主には内カップの連結部及び透明外カップの外壁が、螺接で簡易に連接され、これで内カップと透明外カップを組み合わせるや分解することができ、本考案の使用範囲がさらに広がり、さらに消費者の需要に合わせる。
【００２３】
(4)造形物が透明外カップから分離でき、メーカーが当前のブームによって取り替え、全体の実用性が大幅に増加され、本考案は商品価値を有するようにさせ、市場の需要に合わせる。
【図面の簡単な説明】
【００２４】
【図１】：本考案の造形物付き容器の第１の実施の形態を示す斜視図
【図２】：前記第１の実施の形態の断面図
【図３】：前記第１の実施の形態の分解斜視図
【図４】：本本考案の造形物付き容器の第２の実施の形態において底座と発光装置とを組み合わせる状態を示す斜視図
【図５】：前記第２の実施の形態の断面図
【図６】：図5中のAの部分を示す拡大断面図
【図７】：前記第２の実施の形態の分解斜視図
【図８】：前記第２の実施の形態に係る造形物付き容器の底部の部分を拡大して示す側面図
【図９】：前記第２の実施の形態に係る造形物付き容器の底部の部分を拡大して示す側面断面図
【図１０】：本本考案の造形物付き容器の第３の実施の形態において底座と、発光装置と、透光部とを組み合わせる状態を示す斜視図
【考案を実施するための形態】
【００２５】
以下、本考案の実施の形態について、図面を参照して詳細に説明する。
【００２６】
図1乃至図３は本考案の造形物付き容器の第１の実施の形態を示す図である。この実施の形態に係る造形物付き容器は、透明外カップ1の頂端に第1開口部11を有し、当該透明外カップ1の中に内カップ2が設けられ、当該内カップ2の頂端に第2開口部21を有している。第2開口部21の周縁には連結部22が下向きに延設され、当該連結部22の内壁が当該透明外カップ1の外壁と連接され、当該内カップ2の底部と当該透明外カップ1の底部との間に収納空間3が設けられている。収納空間3の内部には造形物4が設けられ、当該造形物4の底端が当該透明外カップ1の底部に連接（或いは固定取り付け）される。これで、当該透明外カップ1と当該内カップ2との間にある当該収容空間3に当該造形物4が設けられることにより、充分な趣味性を提供し、且つ消費者の眼差し及び注意力を引き付け、さらに消費者の購買意欲を高め、これ以外に、前記造形物4がブランドロゴの様式に作られたら、さらにメーカーにとって広告や宣伝としての機能が発揮される。
【００２７】
また、前記内カップ2の前記連結部22及び前記透明外カップ1の外壁が、螺接で簡易に連接され、これで当該内カップ2と当該透明外カップ1を組み合わせるや分解することができ、本考案の応用方法がさらに消費者の需要に合わせ、且つさらに実用性がある。
【００２８】
図４乃至図９は本考案の造形物付き容器の第２の実施の形態を示す図である。この実施の形態に係る造形物付き容器は、前記透明外カップ1の底部に、さらに当該透明外カップ1を載設するための底座5が設けられ、当該底座5の内部に、さらに発光装置6が設けられる。これで、当該透明外カップ1の底部に、当該底座5が設けられ、且つ当該底座5の内部に、当該発光装置6が設けられることにより、当該造形物4を照らし出し、当該造型物4が多様な点滅と変化の照明及び明かりによる装飾効果を有するようにさせ、消費者の眼差し及び注意力を引き付ける。
【００２９】
前記発光装置6は、前記底座5の内部に設けられ、且つ前記造形物4に対応して設けられる少なくとも一つの発光部材61と、当該底座5の内部に設けられ、当該発光部材61と電気的に連接され、且つ当該発光部材61の発光効果や発光方式を制御する配線基板62と、当該配線基板62上に設けられ、当該配線基板62と電気的に連接される電池63と、当該底座5の底部に設けられ、当該配線基板62と電気的に連接され、当該発光部材61の発光を制御するための制御スイッチ64と、を備える。
【００３０】
その中に、前記発光部材61と前記配線基板62と前記電池63と前記制御スイッチ64との組み合わせにより、前記発光装置6が異なる発光効果や発光方式を変化できるようにさせる。
【００３１】
前記発光部材61は、下に列挙したこと：単色LED、フルカラーLED、小型電球の中の一つであり、異なる当該発光部材61の応用により、実際の需要でさらに多様な選択が提供できる。
【００３２】
前記内カップ2及び前記造形物4が、交換可能式や交換不可能式、任意の1つの方式で前記透明外カップ1と連接される。
【００３３】
その中に、前記内カップ2及び前記造形物4が交換可能式で前記透明外カップ1と連接されたら、消費者の好みによっていつでも当該造形物4を他の造形に取り替えることができ、多様な変化の効果を実現する。
【００３４】
また、前記内カップ2及び前記造形物4が交換不可能式で前記透明外カップ1と連接されたら、メーカーが容易に生産でき、生産コストを減らす。
【００３５】
前記第2開口部21に、さらに蓋体7が設けられる。
【００３６】
その中に、前記蓋体7を前記第2開口部21の上に被せることにより、ほこりや異物が前記内カップ2に落ち、汚染することを防止する。
【００３７】
前記造形物4の底面に、さらに柱状突起41が設けられ、前記底座5が当該柱状突起41に対応する位置に、さらに当該造形物4が当該透明外カップ1底部の表面に固定されるための孔12が設けられる。これで、当該柱状突起41及び当該孔12のデサインにより、当該造形物4が当該透明外カップ1から分離でき、メーカーが当前のブームによって取り替え、全体の実用性が大幅に増加され、本考案は商品価値を有するようにさせ、市場の需要に合わせる。
【００３８】
図8及び図9に示すように、前記底座5は、透明底座、半透明底座の中の一つから成り、且つ前記底座5と前記造形物4との連接面に、さらに孔12が設けられ、当該造形物4は、透明造型物、半透明造型物の中の一つから成る。これにより、前記発光部材61の光線が当該孔12で当該造形物4に投射された後、当該造形物4の透明や半透明のデサインにより、本考案の外観上の形態についてより多くの変化が得られるようになり、消費者にももっと多くの変化性を与えるとともに、幾種類ものデザインの中からの選択の自由度を拡大させる。
【００３９】
また、前記底座5が透明底座や半透明底座で設計されることにより、前記発光部材61の光線が前記造形物4で表現できる以外に、当該底座5で直接に表現でき、本考案の応用方式がさらに多様化になり、本考案の外観がもっと多くの変化が有するようになる。
【００４０】
図１０は本考案の造形物付き容器の第３の実施の形態を示す図である。この実施の形態に係る造形物付き容器は、図10に示すように、前記底座5と前記造型物4との間に、さらに透光部8が設けられ、当該透光部8と当該底座5との連接面に、さらに孔12が設けられ、当該造形物4は透明造型物、半透明造型物の中の一つから成っている点に特徴を有する。
【００４１】
その中に、前記透光部8の応用により、前記発光部材61の光線が前記孔12で前記造形物4に投射された後、当該造形物4が異なる発光効果を表現でき、使用者が目視するようにさせ、且つ当該造形物4を取り替えることができ、多様なスタイルの造型が表現されて組み合わせられる。
【００４２】
以上の実施の形態は、本考案の構造と、特徴及び作用効果を説明するために用いられるものであり、それを以って、本考案の実用新案登録請求の範囲が制限されることは無く、本考案の思想を逸脱することなく種々の改造やそれと同じ置き換えを行っても、それはすべて本考案の範囲に含まれるものである。
【符号の説明】
【００４３】
1    透明外カップ                5    底座
11   第1開口部                   6    発光装置
12   孔                          61   発光部材
2    内カップ                    62   配線基板
21   第2開口部                   63   電池
22   連結部                      64   制御スイッチ
3    収納空間                    7    蓋体
4    造形物                      8    透光部
41   柱状突起
【図１】
0003194995.tif 000003
【図２】
0003194995.tif 000004
【図３】
0003194995.tif 000005
【図４】
0003194995.tif 000006
【図５】
0003194995.tif 000007
【図６】
0003194995.tif 000008
【図７】
0003194995.tif 000009
【図８】
0003194995.tif 000010
【図９】
0003194995.tif 000011
【図１０】
0003194995.tif 000012
【手続補正書】
【提出日】平成26年10月17日(2014.10.17)
【手続補正１】
【補正対象書類名】実用新案登録請求の範囲
【補正対象項目名】全文
【補正方法】変更
【補正の内容】
【実用新案登録請求の範囲】
【請求項１】
透明外カップの頂端に第１開口部を有し、
当該透明外カップの中に内カップが設けられ、当該内カップの頂端に第２開口部を有し、当該第2開口部の周縁に連結部が下向きに延設され、当該連結部の内壁が当該透明外カップの外壁と連接され、
当該内カップと当該透明外カップとの間に収納空間が設けられ、
当該収納空間に設けられる造形物の底端が当該透明外カップの底部と連接される、ことを特徴とする造形物付き容器。
【請求項２】
前記透明外カップの底部に、さらに当該透明外カップを載設するための底座が設けられ、当該底座の内部に、さらに発光装置が設けられる、ことを特徴とする請求項１に記載の造形物付き容器。
【請求項３】
前記発光装置は、前記底座の内部に設けられ、且つ前記造形物に対応して設けられる少なくとも一つの発光部材と、
当該底座の内部に設けられ、当該発光部材と電気的に連接され、且つ当該発光部材の発光効果や発光方式を制御する配線基板と、
当該配線基板上に設けられ、当該配線基板と電気的に連接される電池と、
当該底座の底部に設けられ、当該配線基板と電気的に連接され、当該発光部材の発光を制御するための制御スイッチと、を備える、ことを特徴とする請求項２に記載の造形物付き容器。
【請求項４】
前記発光部材は、単色LED、フルカラーLED、小型電球の中の少なくとも一つである、ことを特徴とする請求項３に記載の造形物付き容器。
【請求項５】
前記底座は、透明底座、半透明底座の中の一つから成る、ことを特徴とする請求項２に記載の造形物付き容器。
【請求項６】
前記底部と前記造形物との連接面に、さらに孔が設けられ、当該造形物は、透明造型物、半透明造型物の中の一つである、ことを特徴とする請求項２に記載の造形物付き容器。
【請求項７】
前記底座と前記造形物との間に、さらに透光部が設けられ、当該透光部と当該底座との連接面に、さらに孔が設けられ、当該造形物は、透明造型物、半透明造型物の中の一つである、ことを特徴とする請求項２に記載の造形物付き容器。
【請求項８】
前記内カップが、交換可能式や交換不可能式、任意の1つの方式で前記透明外カップと連接される、ことを特徴とする請求項１に記載の造形物付き容器。
【請求項９】
前記第2開口部に、さらに蓋体が設けられる、ことを特徴とする請求項１に記載の造形物付き容器。
【請求項１０】
前記造形物が、交換可能式や交換不可能式、任意の1つの方式で前記透明外カップと連接される、ことを特徴とする請求項１に記載の造形物付き容器。
【請求項１１】
前記造形物の底面に、さらに柱状突起が設けられ、前記底座が当該柱状突起に対応する位置に、さらに当該造形物が当該透明外カップ底部の表面に固定されるための孔が設けられる、ことを特徴とする請求項２に記載の造形物付き容器。